(57)【要約】【課題】ＩＰネットワークサービスを規定する情報がネットワーク事業者により管理されているサーバに格納されている場合に、ユーザ自身がサーバにアクセスできるＩＰネットワークシステムを提供する。【解決手段】本発明によるＩＰネットワークシステムは、ネットワーク事業者が提供する公衆網を用いて構築され、ユーザが所定のＩＰネットワークサービスを受けることができるＩＰネットワークシステム（１）であって、前記ＩＰネットワークサービスを規定する情報が前記ネットワーク事業者が管理するサーバ（１０）に格納されているＩＰネットワークシステムにおいて、当該ＩＰネットワークシステムのユーザは、当該ＩＰネットワーク（１）を介して前記ネットワーク事業者により管理されるサーバ（１０）にアクセスすることができ、当該ユーザ自身が、当該ＩＰネットワークにより提供されるＩＰネットワークサービスを規定する情報を設定し、参照又は変更することができることを特徴とする。【選択図】        図１
2004253940.tif 000002
【特許請求の範囲】
【請求項１】
ネットワーク事業者が提供する公衆網を用いて構築され、ユーザが所定のＩＰネットワークサービスを受けることができるＩＰネットワークシステムであって、前記ＩＰネットワークサービスを規定する情報が前記ネットワーク事業者が管理するサーバに格納されているＩＰネットワークシステムにおいて、
当該ＩＰネットワークシステムのユーザは、当該ＩＰネットワークを介して前記ネットワーク事業者により管理されるサーバにアクセスすることができ、当該ユーザ自身が、当該ＩＰネットワークにより提供されるＩＰネットワークサービスを規定する情報を設定し、参照又は変更することができることを特徴とするＩＰネットワークシステム。
【請求項２】
請求項１に記載のＩＰネットワークシステムにおいて、当該ＩＰネットワークを広域仮想プライベートネットワークとしたことを特徴とするＩＰネットワークシステム。
【請求項３】
請求項２に記載のＩＰネットワークシステムにおいて、前記ネットワーク事業者により管理されるサーバには、複数の広域仮想プライベートネットワークのＩＰネットワークサービス情報が個別に格納され、各広域仮想プライベートネットワークのユーザがそれぞれ当該サーバに個別にアクセスできることを特徴とするＩＰネットワークシステム。
【請求項４】
請求項１、２又は３に記載のＩＰネットワークシステムにおいて、前記サーバに対してＩＰネットワークのユーザからアクセスされた際、
当該ユーザに対して、認証処理を行い、ＩＰネットワークサービスに関する情報を参照するためのアカウントを提供する工程と、
アカウントにログインしたユーザからＩＰネットワークサービスに関する情報の参照要求を受け取る工程と、
アカウントにログインしたユーザに関連する設定情報を、ネットワーク事業者内にある通信装置あるいはその管理システムから読み出す工程と、
アカウントにログインしたユーザに対して、読み出した設定情報の形式を、当該ユーザ端末の設定情報に類似した形式に変換して出力する工程と実行することを特徴とするＩＰネットワークシステム。
【請求項５】
請求項１、２又は３に記載のＩＰネットワークシステムにおいて、
前記サーバに対してＩＰネットワークのユーザからアクセスされた際、
当該ユーザに対して、認証処理を行い、ＩＰネットワークサービスに関する情報を設定するためのアカウントを提供する工程と、
アカウントにログインしたユーザから、ＩＰネットワークサービスに関する設定要求を当該ＩＰネットワークシステムに適合したＩＰ通信装置の設定情報に類似した形式で受け取る段階と、
受け取った設定情報の形式を、前記ネットワーク事業者に管理されるサーバあるいはその管理システムの設定情報の形式に変換する工程と、
変換した設定情報を、アカウントにログインしたユーザに関連する設定情報として、前記ネットワーク事業者のサーバあるいはその管理システムに対して書き込む工程とを実行することを特徴とするＩＰネットワークシステム。
【請求項６】
請求項４又は５に記載のＩＰネットワークシステムにおいて、前記アカウントに登録されたユーザに対して、アカウント利用料を課金することを特徴とするＩＰネットワークシステム。
【発明の詳細な説明】
【０００１】
【発明の属する技術分野】
本発明は、ネットワーク事業者が提供する公衆網を利用して構築されているＩＰネットワークシステムにおける、ネットワーク事業者により管理運営される通信装置すなわちサーバに設定されるＩＰネットワークサービスに関する情報の設定並びに設定された情報の変更や参照に関するものである。
【０００２】
【従来の技術】
ネットワーク事業者が提供する公衆網を利用して構築されるＩＰネットワーク網として、広域仮想プライベートネットワーク（ＩＰ−ＶＰＮ）が広く活用されている。広域仮想プライベートネットワークによるサービスの提供を受けるためには、サービス利用者（ユーザ）のＩＰネットワークサービスに関する設定情報をネットワーク事業者内の通信装置に設定するために、ユーザ自身が設定情報の内容を書面等に記入し、ネットワーク事業者へＦＡＸ等を用いて設定を依頼する必要があった。このような手続きは、広域仮想プライベートネットワークサービス以前から広域のプライベートネットワークを構築するために利用されていた専用線サービスの設定依頼手続きがそのまま広域仮想プライベートネットワークサービスへ踏襲されたものである。
【０００３】
専用線サービスでは、ユーザは、専用線に関する設定のみを上記の手続きでネットワーク事業者へ依頼していた。一方、ＩＰネットワークサービスを規定する情報が全てユーザ側の拠点ＬＡＮ内にある通信装置に格納されているため、ユーザは、当該通信装置に直接アクセスしてＩＰネットワークサービスの設定を自分自身で行なうことができた。しかし、広域仮想プライベートネットワークサービスは、ＩＰネットワークサービスをネットワーク事業者が管理運営する通信装置で実現するというものであり、専用線サービスにおいてはユーザ自身が設定していたＩＰ通信やＩＰネットワークサービスといったものに関する設定情報が、ネットワーク事業者側に存在している。そのため、ＩＰネットワークサービスに関する設定をネットワーク事業者内の通信装置に対して行なうよう、ユーザがネットワーク事業者に依頼する必要が生じていた。
【０００４】
【発明が解決しようとする課題】
上記のような設定方式では、ＩＰネットワークサービスに関する設定および変更が、ユーザにとって時間とお金がかかるものになるという問題が存在する。
その第一の理由は、広域仮想プライベートネットワークサービスではＩＰネットワークサービスに関する設定をネットワーク事業者が行なうため、例えばそれがＩＰアドレスの変更などの簡単な作業であっても、ユーザがネットワーク事業者へ書面とＦＡＸを利用して依頼し、ユーザはその作業が終わるのを待たなくてはいけないからである。
その第二の理由は、ネットワーク事業者側でＦＡＸの処理や通信装置の設定といった人手による作業が発生するため、ユーザがその作業費を設定依頼毎にネットワーク事業者に対して支払わなくてはいけないからである。
【０００５】
本発明の目的は、ＩＰネットワークサービスに関する情報の設定および変更をユーザ自身が直接ネットワーク事業者内の通信装置（サーバ）に対して行なえるようにすることにより、煩わしい設定依頼手続きが省かれ、設定反映までの時間が短縮され、ユーザの費用負担が抑えられたＩＰネットワークシステムを提供することである。
【０００６】
【課題を解決するための手段】
上述した問題を解決するために、本発明によるＩＰネットワークシステムは、ネットワーク事業者が提供する公衆網を用いて構築され、ユーザが所定のＩＰネットワークサービスを受けることができるＩＰネットワークシステムであって、前記ＩＰネットワークサービスを規定する情報が前記ネットワーク事業者が管理するサーバに格納されているＩＰネットワークシステムにおいて、
ＩＰネットワークシステムのユーザは、当該ＩＰネットワークを介して前記ネットワーク事業者により管理されるサーバにアクセスすることができ、ユーザ自身が当該ＩＰネットワークにより提供されるＩＰネットワークサービスを規定する情報を設定し、参照又は変更することができることを特徴とする。
本発明は、広域仮想プライベートネットワーク全体を１つルータとみなすことができると言う技術思想に基づいている。そして、仮想したルータの制御内容を規定した情報をネットワーク事業者が管理する通信装置（サーバ）に格納すると共に、ユーザ自身がサーバに対してアクセスできるように設定する。一方、サーバに対するユーザからのアクセスに対しては高度なセキュリティ管理を行う。この結果、ＶＰＮの安全性を維持しつつ、ＶＰＮを一層有効に活用することができる利点が達成される。
【０００７】
【発明の実施の形態】
図１は、本発明によるＩＰネットワークシステムの一例を示す線図である。本例では、ＩＰネットワークシステムとして、ネットワーク事業者が提供する公衆網を用いて広域仮想プライベートネットワークを構築したＩＰネットワークシステムについて説明する。図１において、広域仮想プライベートネットワーク１は、ネットワーク事業者の複数の通信装置２０１（図面を明瞭にするため、３個の通信装置だけを図示する）により構成され、各通信装置２０１は、通信装置を管理するためのネットワーク事業者通信装置管理網２に接続する。ネットワーク事業者通信装置管理網２は、サービスセンタ３内に配置したサーバ１０にも接続する。サーバ１０は、通信装置２０１を経由して広域仮想プライベートネットワーク（ＩＰ−ＶＰＮ）に接続されている。符号１０１は広域仮想プライベートネットワークサービスのユーザ端末であり、サーバ１０と同様に広域仮想プライベートネットワーク（ＩＰ−ＶＰＮ）に接続されている。
【０００８】
サーバ１０は、広域仮想プライベートネットワーク１が提供するＩＰネットワークサービスを規定する各種情報を格納するものであり、例えば広域仮想プライベートネットワークが複数設定されている場合、各広域仮想プライベートネットワーク毎にＩＰネットワークサービス情報を個別に格納することができる。ここで、ＩＰネットワークサービスとして、例えば経路情報の設定、特定の端末からのアクセスの受け入れを拒否するサービス等の各種のサービスを設定することができる。勿論、これらのサービスは各ユーザ毎に個別に設定することもできる。サーバ１０は、広域仮想プライベートネットワーク２とネットワーク事業者通信装置管理網３の２つのネットワークに接続され、ユーザ端末との通信は広域仮想プライベートネットワーク２を介して行い、ネットワーク事業者通信装置またはその管理システムとの通信はネットワーク事業者通信装置管理網３を介して行う。ネットワーク事業者通信装置管理網３は、ネットワーク通信装置群を管理するためにネットワーク事業者内に構築されるネットワークであり、ユーザには公開されない。よって、ユーザ端末間およびユーザ端末とサーバとの間の通信は全て広域仮想プライベートネットワーク２上で行われる。従って、広域仮想プライベートネットワーク１の利用者であるユーザは、ユーザ端末１０１から広域仮想プライベートネットワーク１を介してサーバ１０にアクセスすることができる。
【０００９】
次に、サーバ１０内部の構成について図２で説明する。図２において、符号１１はユーザセッション制御手段、１２は設定情報形式変換手段、１３はネットワーク事業者通信装置アクセス手段、１４はユーザ情報データベース、１５は形式変換ルールファイル、１６は課金情報データベースをそれぞれ示す。ユーザセッション制御手段１１は、ユーザ情報データベース１４が管理するユーザ情報を検索してユーザのログイン認証を行い、認証したユーザの接続状態をユーザがログアウトするまで維持して、ユーザからのＩＰネットワークサービスに関する設定情報の参照および設定要求の受信とその処理結果をユーザに送信する手段である。設定情報形式変換手段１２は、形式変換ルールファイル１５を読み込み、ユーザからのＩＰネットワークサービスに関する設定情報の参照および設定要求をネットワーク事業者内にある通信装置あるいはその管理システムの参照および設定要求に変換する手段である。ネットワーク事業者通信装置アクセス手段１３は、ネットワーク事業者内にある通信装置あるいはその管理システムへネットワーク事業者通信装置管理網３を経由して接続し、ネットワーク事業者通信装置あるいはその管理システム独自の参照および設定要求メソッドを呼び出すための手段である。ユーザ情報データベース１４は、ユーザのログイン情報、ユーザの利用している広域仮想プライベートネットワーク識別情報等をデータベースとして管理する手段である。形式変換ルールファイル１５は、参照、設定といった要求種類毎に定義され、ユーザ端末であるＩＰ通信装置の設定情報項目と、それに対応するネットワーク事業者通信装置のメソッドパラメータを定義するファイルである。形式変換ルールファイル１５には、形式変換ルール自体の識別する番号、入力する市販ＩＰ通信装置設定情報項目、呼び出すネットワーク事業者通信装置のメソッド名、出力するユーザ端末（市販ＩＰ通信装置）設定情報項目を記述する。入力する市販ＩＰ通信装置設定情報には、ネットワーク事業者通信装置またはその管理システムが持つメソッドの入力パラメータ名と、それに対応する市販ＩＰ通信装置設定情報項目名の組のリストを記述する。また、出力する市販ＩＰ通信装置設定情報項目には、ネットワーク事業者通信装置またはその管理システムが持つメソッドの出力パラメータ名と、それに対応する市販ＩＰ通信装置設定情報項目名の組のリストを記述する。課金情報データベース１６は、ユーザ情報データベース１４に登録されているユーザに対する課金情報をデータベースとして管理する手段である。この課金情報データベースは、ネットワーク事業者が提供する他のサービスの課金データベースを用いてもよい。ユーザに対する課金はアクセス時間に応じた従量制、参照データ量や設定データ量に応じた従量制、または定額制など任意の課金方式を採用可能であるが、参照や設定回数に依存しないように課金すると言う観点から、定額制が望ましい。また、定額制とした場合にはユーザのログイン回数などを管理する必要がないため、ユーザ情報データベースと課金情報データベースは接続されなくても構わない。その場合、課金情報データベースは、一定期間の定額の利用料をユーザに対して課金する情報を管理すれば良い。
【００１０】
図３は、サーバ１０においてユーザ情報データベース１２が管理するデータベース構造の例を示す。ユーザ情報データベース１２には、ユーザＩＤ、ユーザ名、ユーザのログイン名、ログインのパスワード、ユーザの利用するＶＡＮ−ＩＤ等が格納される。これらの情報は、ユーザが広域仮想プライベートネットワークサービス利用の契約をネットワーク事業者と結ぶ時に、ユーザ個別情報として登録されるものである。
【００１１】
図４は、課金情報データベース１６の管理するデータベース構造の例を示す。課金情報データベース１５にはユーザ毎に課金処理するための情報として、ユーザＩＤ、現在の課金状況などの課金情報が格納される。
【００１２】
図５及び図６は、サーバ１０において設定情報形式変換手段１２が読み込んで使用する形式変換ルールファイル１５の例を示す。形式変換ルールファイルは、ＩＰネットワークサービスに関する設定情報の種類や、参照／設定といった要求の種類毎に用意される。図５は、ネットワーク通信事業者の通信装置にある広域仮想プライベートネットワークのルーチングに関する情報を標準の（市販の）ＩＰ装置設定情報へ変換するための参照用形式変換ルールを記述した例である。この例の場合、市販ＩＰ装置設定情報項目は市販のＩＰルークがもつ設定情報項目と内容的に類似したものとなる。
【００１３】
図５において、形式変換ルール番号はこの形式変換ルールファイルを識別するための番号である。ネットワーク事業者通信装置読み出しメソッド名は、ネットワーク事業者の通信装置に設定された情報を参照するためにネットワーク事業者通信装置またはその管理システムに対して、サーバ１０が呼び出すメソッド名である。市販ＩＰ装置設定情報項目（入力）は、ネットワーク事業者通信装置読み出しメソッドの入力パラメータ名と、それに対応する市販ＩＰ装置設定情報項目の項目名の組のリストである。読み出しメソッドの要求送信時に、市販ＩＰ装置設定情報項目名と入力パラメータ名の対応関係から、読み出しメソッドの入力パラメータに市販ＩＰ装置設定情報項目名で指定される項目の内容を代入してメソッドを呼び出すためのルールである。市販ＩＰ装置設定情報項目（出力）は、ネットワーク事業者通信装置の読み出しメソッドの出力パラメータ名と、それに対応する市販ＩＰ装置設定情報項目の項目名の組のリストである。読み出しメソッドの応答受信時に、ユーザ端末である市販ＩＰ装置の設定情報項目名と出力パラメータ名の対応関係から、市販ＩＰ装置設定情報項目名の項目に読み出しメソッドの出力パラメータの内容を代入するためのルールである。
【００１４】
図６は、ユーザ端末である市販ＩＰ装置の設定情報をネットワーク通信事業者の通信装置にある広域仮想プライベートネットワークのルーチングに関する設定情報へ変換するための設定用形式変換ルールを記述した例である。この例の場合、市販ＩＰ装置設定情報項目は市販のＩＰルークがもつ設定情報項目と内容的に類似したものとなる。図６において、形式変換ルール番号はこの形式変換ルールファイルを識別するための番号である。ネットワーク事業者通信装置書き込みメソッド名は、ネットワーク事業者の通信装置に情報を設定するためにネットワーク事業者通信装置またはその管理システムに対して、サーバ１０が呼び出すメソッド名である。市販ＩＰ装置設定情報項目（入力）は、ネットワーク事業者通信装置の書き込みメソッドの入力パラメータ名と、それに対応する市販ＩＰ装置設定情報項目の項目名の組のリストである。書き込みメソッドの要求送信時に、市販ＩＰ装置設定情報項目名と書き込みメソッドの入力パラメータ名の対応関係から、書き込みメソッドの入力パラメータに市販ＩＰ装置設定情報項目名で指定される項目の内容を代入してメソッドを呼び出すためのルールである。この例では、ネットワーク事業者通信装置書き込みメソッドの応答は設定結果の成功／失敗のみであるものとし、市販ＩＰ装置設定情報項目（出力）は特に定義しない。
【００１５】
図７、８、９および１０は、ユーザ端末からＩＰネットワークサービスに関する設定情報の参照する際の処理の流れを示す。まず、ユーザ端末１０１からサービスセンタ１へ接続すると（ＳｌＯｌ）、サービスセンタ１ではユーザ端末３へログイン画面を送信する（ＳｌＯ２）。ログイン画面は、ユーザがＩＰネットワークサービスに関する設定情報の参照および設定を行うために、ユーザ名とパスワードを入力するための画面である。ユーザ端末１０１では、ログイン画面を受信し表示する（ＳｌＯ３、１０４）。ユーザはログイン画面の入力フィールドにユーザ名とパスワードを入力し（Ｓ１Ｏ５）、送信する（Ｓ１Ｏ６）。サービスセンタ１では、ユーザ名とパスワードを受信し（ＳｌＯ７）、ユーザ情報データベース１４からユーザ名をキーとしてユーザ情報を検索する（ＳｌＯ８）。取得したユーザ情報にあるパスワードと受信したパスワードを比較し合致すれば認証成功としてユーザセッションを確立する（ＳｌＯ９）。ユーザセッション確立後、サービスセンタ１はサービスメニュー画面を送信する（ＳｌｌＯ）。サービスメニュー画面は、ユーザから行える操作内容の一覧を表示し選択を促すための画面であり、例えばＩＰネットワーク情報の参照やＩＰネットワーク情報の設定等がある。ユーザ端末１０１では、サービスメニュー画面を受信し（Ｓｌｌｌ）、サービスメニュー画面を表示する（Ｓｌ１２）。ユーザはＩＰネットワーク情報を参照する場合、サービスメニュー画面からＩＰネットワーク情報参照を選択し（Ｓｌ１３）、サービスメニュー選択の指示内容を送信する（Ｓｌ１４）。サービスセンタ１では、情報参照メニューの指示内容を受信し（Ｓｌ１５）、ユーザ情報データベース１１からユーザの利用しているＩＰ−ＶＰＮＩＤを検索し（Ｓｌ１６）、参照用形式変換ルールファイルを読み込む（Ｓｌ１７）。さらに、参照用形式変換ルールファイルの市販ＩＰ装置設定情報項目（入力）を参照し、読み出しメソッド入力パラメータに対応するＩＰ−ＶＰＮＩＤをセットし（Ｓｌ１８）、参照用形式変換ルールファイルのネットワーク事業者通信装置読み出しメソッド名に指定されるメソッドを呼び出して設定情報読み出し要求を送信する（Ｓｌ１９）。ネットワーク事業者通信装置２０１は、設定情報読み出し要求を受信し（Ｓ１２０）、要求メソッドで定義される動作に従って通信装置自体の設定情報を設定情報読み出し、応答として送信する（Ｓ２１）。サービスセンタ１では、設定情報読み出し応答を受信し（Ｓ１２２）、参照用形式変換ルールファイルの市販ＩＰ装置設定情報項目（出力）を参照して、読み出しメソッド出力パラメータの内容を取り出し（Ｓ１２３）、対応する市販ＩＰ装置設定情報項目名の項目にセットする（Ｓ１２４）。さらに、サービスセンタ１は内容のセットされた市販ＩＰ装置設定情報項目を表示する情報参照結果画面を生成して送信する（Ｓ１２５）。ユーザ端末では１０１では、情報参照結果画面を受信し（Ｓ１２６）、情報参照結果画面を表示する（Ｓ１２７）。
【００１６】
図１１、１２、１３および１４は、ユーザ端末からＩＰネットワークサービスに関する設定情報を設定する処理の流れを示す。まず、ユーザ端末１０１からサービスセンタ１へ接続すると（Ｓ２０１）、サービスセンタ３ではユーザ端末１０１へログイン画面を送信する（Ｓ２０２）。ログイン画面は、ユーザがＩＰネットワークサービスに関する設定情報の参照および設定を行うために、ユーザ名とパスワードを入力するための画面である。ユーザ端末１０１では、ログイン画面を受信し表示する（Ｓ２０３、２０４）。ユーザはログイン画面の入力フィールドにユーザ名とパスワードを入力し（Ｓ２０５）、送信する（Ｓ２０６）。
【００１７】
サービスセンタ３では、ユーザ名とパスワードを受信し（Ｓ２０７）、ユーザ情報データベース１４からユーザ名をキーとしてユーザ情報を検索する（Ｓ２０８）。取得したユーザ情報にあるパスワードと受信したパスワードを比較し合致すれば認証成功としてユーザセッションを確立する（Ｓ２０９）。ユーザセッション確立後、サービスセンタ３はサービスメニュー画面を送信する（Ｓ２１０）。サービスメニュー画面は、ユーザから行える操作内容の一覧を表示し選択を促すための画面であり、例えばＩＰネットワーク情報の参照やＩＰネットワーク情報の設定等がある。
【００１８】
ユーザ端末１０１では、サービスメニュー画面を受信し（Ｓ２１１）、サービスメニュー画面を表示する（Ｓ２１２）。ユーザはＩＰネットワーク情報を参照する場合、サービスメニュー画面からＩＰネットワーク情報参照を選択し（Ｓ２１３）、サービスメニュー選択の指示内容を送信する（Ｓ２１４）。サービスセンタ３では、情報参照メニューの指示内容を受信し（Ｓ２１５）、ユーザ情報データベース１１からユーザの利用しているＩＰ一ＶＰＮＩＤを検索し（Ｓ２１６）、設定用形式変換ルールファイルを読み込む（Ｓ２１７）。さらに、設定用形式変換ルールファイルのユーザ端末である市販ＩＰ装置の設定情報項目（入力）を参照し、書き込みメソッド入力パラメータに対応する市販ＩＰ装置設定情報項目を入力項目とする情報設定入力画面を生成して送信する（Ｓ２１８）。図６の例では、市販ＩＰ装置設定情報項目の入力項目はインタフェース名、宛先サブネットアドレス、宛先サブネットマスク等となる。
【００１９】
ユーザ端末１０１では、情報設定入力画面を受信し（Ｓ２１９）、情報設定入力画面を表示する（Ｓ２２０）。ユーザは設定したい値を情報設定入力画面に入力し（Ｓ２２１）、市販装置設定情報項目を送信する（Ｓ２２２）。サービスセンタ３では、市販装置設定情報項目を受信し（Ｓ２２３）、設定用形式変換ルールファイルの市販ＩＰ装置設定情報項目（入力）を参照して、書き込みメソッド入力パラメータに受信した市販装置設定情報項目の内容をセットする（Ｓ２２４）。さらに、設定用形式変換ルールファイルのネットワーク事業者通信装置書き込みメソッド名に指定されるメソッドを呼び出して設定情報書き込み要求を送信する（Ｓ２２５）。ネットワーク事業者通信装置２０１は、設定情報書き込み要求を受信し（Ｓ２２６）、要求メソッドで定義される動作に従って通信装置自体に設定情報を書き込み、その結果を応答として送信する（Ｓ２２７）。設定情報の書き込みの場合には、読み出しとは異なり、設定が成功したか失敗したか、その結果を応答として送信すればよい。
【００２０】
サービスセンタ３は、設定情報書き込み応答を受信し（Ｓ２２８）、その応答内容を表示する情報設定結果画面を生成して送信する（Ｓ２２９）。ユーザ端末１０１は、情報設定結果画面を受信し（Ｓ２３０）。情報設定結果画面を表示する（Ｓ２３１）。
【００２１】
図１５は、ユーザ端末に表示される情報参照結果画面の例である。この例では、ユーザの利用している広域仮想プライベートネットワークを１つの仮想的な市販ＩＰルータとして、ＩＰ−ＶＰＮに関する設定情報を市販のＩＰルータの設定情報と同様の形式で表示している。インタフェースリストのインタフェースは広域仮想プライベートネットワーク１に接続しているユーザ端末１０１が収容されているネットワーク事業者通信装置２０１のインタフェースに相当する情報を表し、インタフェースアドレス、ネットマスクはそのインタフェースが接続しているＩＰアドレス空間を示すものである。また、静的ルート情報は、市販のルータにおける静的経路情報と同様の情報を示すものであり、あるインタフェースを経由して到達可能なＩＰアドレス空間をサブネットアドレスとネットマスクの組で表す。
【００２２】
図１６は、ユーザ端末に表示される情報設定入力画面の例である。この例も図１５の情報参照結果画面の例と同様に、ユーザの利用している広域仮想プライベートネットワークを１つの仮的な市販ＩＰルータとして、ＩＰ−ＶＰＮに関する設定情報を市販のＩＰルータの設定情報と同様の形式で削除、追加できるようになっている。
【００２３】
【発明の効果】
以上説明したように、本発明によれば、広域仮想プライベートネットワークサービスにおけるＩＰネットワークサービスに関する設定を、ユーザ自身がネットワーク事業者を介することなく行なうことができるため、ユーザがネットワーク事業者へ書面とＦＡＸを利用して依頼しその作業が終わるのを待たなくてはいけないといった煩わしい設定依頼手続きを省き、設定反映までの時間を短縮し、ユーザのサービス満足度を向上するという利点がある。
また、ネットワーク事業者側でのＦＡＸの処理や通信装置の設定といった人手による作業を省くことができるため、作業費が発生せず、ＩＰネットワークサービスに関する設定におけるユーザの費用負担を抑えることができるという利点がある。さらに、ネットワーク事業者側にとっても、Ｆａｘの処理や通信装置の設定を行う人件費を削減できるという利点がある。
本発明は、広域仮想プライベートネットワークサービスにとどまらず、ネットワーク事業者が提供する他の広い範囲のＩＰネットワークサービスに関する設定情報の参照や設定にも活用できる方式であり、ネットワーク事業者のサービス品質の向上とコストダウンに効果がある。
【図面の簡単な説明】
【図１】本発明によるＩＰネットワークシステムの一例を示す線図である。
【図２】サーバの一例を示す線図である。
【図３】ユーザ情報データベース１２が管理するデータベース構造の一例を示す線図である。
【図４】課金情報データベースが管理するデータベース構造の一例を示す線図である。
【図５】形式変換ルールファイルの記述内容の一例を示す図である。
【図６】形式変換ルールファイルの記述内容の一例を示す図である。
【図７】ユーザ端末から、設定されているＩＰネットワークサービス情報を参照する際の流れを示す図である。
【図８】ユーザ端末から、設定されているＩＰネットワークサービス情報を参照する際の流れを示す図である。
【図９】ユーザ端末から、設定されているＩＰネットワークサービス情報を参照する際の流れを示す図である。
【図１０】ユーザ端末から、設定されているＩＰネットワークサービス情報を参照する際の流れを示す図である。
【図１１】ユーザ端末から、ＩＰネットワークサービスの情報を設定する際の処理の流れを示す図である。
【図１２】ユーザ端末から、ＩＰネットワークサービスの情報を設定する際の処理の流れを示す図である。
【図１３】ユーザ端末から、ＩＰネットワークサービスの情報を設定する際の処理の流れを示す図である。
【図１４】ユーザ端末から、ＩＰネットワークサービスの情報を設定する際の処理の流れを示す図である。
【図１５】ユーザ端末に表示される情報参照結果画面の一例を示す図である。
【図１６】ユーザ端末に表示される情報設定入力画面の一例を示す図である。
【図１】
2004253940.tif 000003
【図２】
2004253940.tif 000004
【図３】
2004253940.tif 000005
【図４】
2004253940.tif 000006
【図５】
2004253940.tif 000007
【図６】
2004253940.tif 000008
【図７】
2004253940.tif 000009
【図８】
2004253940.tif 000010
【図９】
2004253940.tif 000011
【図１０】
2004253940.tif 000012
【図１１】
2004253940.tif 000013
【図１２】
2004253940.tif 000014
【図１３】
2004253940.tif 000015
【図１４】
2004253940.tif 000016
【図１５】
2004253940.tif 000017
【図１６】
2004253940.tif 000018